(57)【要約】【課題】  構造を複雑化させることなく、また要介護者の入浴リスクを解消することができる共に、要介護者の不安をなくし、経済的にも安価に入浴介護が行えるようにする。【解決手段】  バスタブ２と、バスタブ２を支持するベース部３とを有し、ベース部３が、バスタブ２を上下する昇降手段Ａとバスタブの角度を変更する角度変更手段Ｂとバスタブを水平方向に回動する回動手段Ｃとを備えたものであり、バスタブ２は、要介護者の臀部が載る座部４と、要介護者の背中を支持する背もたれ部５と、要介護者の脚部が載る脚受け部６とを有し、また背もたれ部５の上側には凹弧状のシャンプーボール７が一体に設けられている。【選択図】  図２
2018042596.tif 000002
【特許請求の範囲】
【請求項１】
バスタブと、バスタブを支持するベース部とを有する介護用入浴装置であって、ベース部が、バスタブを上下する昇降手段とバスタブの角度を変更する角度変更手段とバスタブを水平方向に回動する回動手段とを備えた、介護用入浴装置。
【請求項２】
バスタブが、要介護者の臀部が載る座部と、要介護者の背中を支持する背もたれ部と、要介護者の脚部が載る脚受け部とを有する、請求項１記載の介護用入浴装置。
【請求項３】
バスタブが、背もたれ部の上側に凹弧状のシャンプーボールを有する請求項１または請求項２記載の介護用入浴装置。
【請求項４】
座部に滑り止め手段が施されている、請求項１〜請求項３のうちのいずれか一項記載の介護用入浴装置。
【請求項５】
ベース部の昇降手段が、油圧ジャッキであって、その作動シャフトの上端がバスタブの下側に結合されている、請求項１〜請求項４のうちのいずれか一項記載の介護用入浴装置。
【請求項６】
ベース部の回動手段が、油圧ジャッキの作動シャフトが挿通されたリング状部材であって、該リング状部材は油圧ジャッキのシリンダ上端に支持されて前記作動シャフトの周囲を回動するようになされている、請求項１〜請求項５のうちのいずれか一項記載の介護用入浴装置。
【請求項７】
角度変更手段が、ダンパーと、ブラケットと、バスタブの背もたれ部下側に設けられた縦長の長孔と、長孔内に挿通されたスライドピンとで構成されており、ダンパーのシリンダ基部がリング状部材に枢支され、ダンパーのシャフト上端がバスタブの下端寄り部分の下側に枢支されており、ブラケットの基部がリング状部材に枢支され、ブラケットの先端部が、前記長孔に挿通されたピンと係合してバスタブをスライド自在に支持している、請求項１〜請求項６のうちのいずれか一項記載の介護用入浴装置。
【請求項８】
バスタブに所要数の吐出口が設けられ、各吐出口にポンプからの加圧空気が供給されるジェット噴流式気泡風呂となされている、請求項１〜請求項７のうちのいずれか一項記載の介護用入浴装置。
【請求項９】
バスタブが、要介護者の着座位置を上げるための底上げ具を更に有する、請求項１〜請求項８のうちのいずれか一項記載の介護用入浴装置。
【発明の詳細な説明】
【技術分野】
【０００１】
本発明は、高齢者や身体障がい者等の介護が必要な人（以下、「要介護者」という）の入浴を補助するための介護用入浴装置に関する。
【背景技術】
【０００２】
一般に、入浴は、身体を清潔に保つと共に種々の感染症予防にもなり、また体内の血行改善や床ずれの防止、疲労回復といった種々のメリットがあることから、人間の日常生活において不可欠なものと言える。
【０００３】
しかしながら、入浴には身体的リスクを伴い、世界保健機関（World Health Organization：ＷＨＯ）の統計によると、日本における入浴中の事故は、他国に比べて高い傾向にあり、またその多くが高齢者であることが報告されている。
【０００４】
そして、高齢化が進む日本においては、要介護者の入浴をいかに安全に且つ低い費用で行うかということが重要な課題となっている。核家族化した現代の日本においては、通常、要介護者の介護を行なう配偶者も高齢者であり、また要介護者の入浴には多大な労力とリスクを伴うため、近年では、老人保健施設やデイサービス等を利用して要介護者の入浴介護サービスが実施されており、また最近では、訪問入浴介護サービスを行なう事業者も増加している。
【０００５】
一般に、要介護者の入浴は、看護者を含む合計三名の介護者で行うのが適切とされており、また前述した訪問入浴介護サービスを行なう事業者の場合、該事業者が要介護者の自宅を訪問して、持参した浴槽および給排水器具をセットして要介護者の入浴を実施しているが、このような人員と体制での入浴介護サービスを日常、頻繁に行うことは、事業者の規模や要介護者の経済上の面から困難であり、また年々増加する介護保険給付金の抑制の面からも限界があると言える。そのため、要介護者の入浴を機械装置を用いて行うことも種々案出されている。
【先行技術文献】
【特許文献】
【０００６】
【特許文献１】特開２００１−１４５６８０号公報
【特許文献２】特開２００９−１８３４５２号公報
【発明の概要】
【発明が解決しようとする課題】
【０００７】
前述した入浴介護のための機械装置は、例えば床面に配置されたベッド上の入浴者が、前記床面に配置された簡易型のバスタブで入浴するために使用する入浴介護装置であって、前記ベッド及び前記バスタブを個別に跨ぎ、下端に車輪機構が設けられ、左右それぞれに配置された脚部、及び該脚部に取付けられた架台と、前記架台の高さを調整する前記脚部の伸縮手段と、前記架台に吊り下げられ、前記入浴者を載置するマットとを有し、前記脚部の伸長時には、前記マットの下端が、前記ベッド及び前記バスタブの上端より高くされたものや、あるいは、要介護者の入浴補助装置を備えたバスタブを、バスタブ支持台に対して、入浴位置から起立状態に揺動可能に収納保持し、バスタブをバスタブ支持台から傾斜状態に引き出し、傾斜状態のバスタブに温水を満たすようにしたもの、更には、浴槽周囲に設置される設置部と、 該設置部に対し幅方向に所定間隔を隔てて平行配置されると共に前記設置部から下方に向かって延び終端側が前記浴槽内底面に載置される一対のフレームと、  該各フレーム面に当接して転動する転動子を有し、前記フレーム面に沿って昇降移動する昇降部とを備えた入浴用リフト装置等が知られている。
【０００８】
しかしながら、前述したいずれの装置も入浴する要介護者の身体を移動させるためのリフト機構を組み込んだ構造であるため、全体として複雑な構成となっており、またこのような要介護者の身体を機械的に移動させるために、その運転操作に介護者のある程度の習熟が求められる上、要介護者の身体の機械的な移動にリスクを伴うと共に、要介護者自身が不安を感じるおそれもあった。
【０００９】
本発明の目的は、前述した種々の問題やリスクを一挙に解消することができる介護用入浴装置を提供することにある。
【課題を解決するための手段】
【００１０】
請求項１記載の本発明は、バスタブと、バスタブを支持するベース部とを有する介護用入浴装置であって、ベース部が、バスタブを上下する昇降手段とバスタブの角度を変更する角度変更手段とバスタブを水平方向に回動する回動手段とを備えた介護用入浴装置である。
【００１１】
請求項２記載の本発明は、前記請求項１記載の介護用入浴装置について、バスタブが、要介護者の臀部が載る座部と、要介護者の背中を支持する背もたれ部と、要介護者の脚部が載る脚受け部とを有するものである。
請求項３記載の本発明は、前記請求項１または請求項２記載の介護用入浴装置について、  バスタブが、背もたれ部の上側に凹弧状のシャンプーボールを有することを特徴とするものである。
【００１２】
請求項４記載の本発明は、前記請求項１〜請求項３のうちのいずれか一項記載の介護用入浴装置について、座部に滑り止め手段が施されていることを特徴とするものである。
【００１３】
請求項５記載の本発明は、前記請求項１〜請求項４のうちのいずれか一項記載の介護用入浴装置について、ベース部の昇降手段が、油圧ジャッキであって、その作動シャフトの上端がバスタブの下側に結合されていることを特徴とするものである。
【００１４】
請求項６記載の本発明は、前記請求項１〜請求項５のうちのいずれか一項記載の介護用入浴装置について、ベース部の回動手段が、油圧ジャッキの作動シャフトが挿通されたリング状部材であって、該リング状部材は油圧ジャッキのシリンダ上端に支持されて前記作動シャフトの周囲を回動するようになされているものである。
【００１５】
請求項７記載の本発明は、前記請求項１〜請求項６のうちのいずれか一項記載の介護用入浴装置について、角度変更手段が、ダンパーと、ブラケットと、バスタブの背もたれ部下側に設けられた縦長の長孔と、長孔内に挿通されたスライドピンとで構成されており、ダンパーのシリンダ基部がリング状部材に枢支され、ダンパーのシャフト上端がバスタブの下端寄り部分の下側に枢支されており、ブラケットの基部がリング状部材に枢支され、ブラケットの先端部が、前記長孔に挿通されたピンと係合してバスタブをスライド自在に支持している。
【００１６】
請求項８記載の本発明は、前記請求項１〜請求項７のうちのいずれか一項記載の介護用入浴装置について、バスタブに所要数の吐出口が設けられ、各吐出口にポンプからの加圧空気が供給されるジェット噴流式気泡風呂となされているものである。
【００１７】
請求項９記載の本発明は、請求項１〜請求項８のうちのいずれか一項記載の介護用入浴装置について、バスタブが、要介護者の着座位置を上げるための底上げ具を更に有することを特徴とする。
【発明の効果】
【００１８】
請求項１記載の本発明に係る介護用入浴装置は、バスタブと、バスタブを支持するベース部とを有する介護用入浴装置であって、ベース部が、バスタブを上下する昇降手段とバスタブの角度を変更する角度変更手段とバスタブを水平方向に回動する回動手段とを有する従来に比べて簡略化された構造である。
【００１９】
また、請求項２記載の本発明は、バスタブが、要介護者の臀部が載る座部と、要介護者の背中を支持する背もたれ部と、要介護者の脚部が載る脚受け部とを有する構造であるため、バスタブ内に要介護者を安定的且つ容易に仰臥位で寝かせることができる。
【００２０】
請求項３記載の本発明に係る介護用入浴装置では、バスタブの背もたれ部上側に設けられた凹弧状のシャンプーボールによって、要介護者の洗髪をも行うことができる。
【００２１】
請求項４記載の本発明では、座部に滑り止め手段が施されているため、前述したバスタブ自体の安定な形状と相俟って、更に安全性の高い入浴が可能となる。
【００２２】
請求項５記載の本発明は、ベース部の昇降手段が、油圧ジャッキであって、その作動シャフトの上端がバスタブの下側に結合されている構造であるため、従来に比べて、簡単かつ安価にバスタブ自体の昇降を行なうことができるという利点を有する。
【００２３】
請求項６記載の本発明は、ベース部の回動手段が、油圧ジャッキの作動シャフトが挿通されたリング状部材であって、該リング状部材は油圧ジャッキのシリンダ上端に支持されて前記作動シャフトの周囲を回動するようになされているものであるため、当該回動手段を中心として介護者の手でバスタブを容易に回動させることができ、従来のような電動による機械的回転ではないため、回転の安全性が確保され、また要介護者自身に不安を与えるおそれもない。
【００２４】
請求項７記載の本発明は、角度変更手段が、ダンパーと、ブラケットと、バスタブの背もたれ部下側に設けられた縦長の長孔と、長孔内に挿通されたスライドピンとで構成されており、ダンパーのシリンダ基部がリング状部材に枢支され、ダンパーのシャフト上端がバスタブの下端寄り部分の下側に枢支されており、ブラケットの基部がリング状部材に枢支され、ブラケットの先端部が、前記長孔に挿通されたピンと係合してバスタブをスライド自在に支持している構造となされているため、バスタブの角度を変える際に、介護者が手でバスタブを持って力を加えることで角度変更ができ、且つ前記ダンパーによる緩衝作用によって、徐々に角度変更がなされるため、安全性が高く、また要介護者に不安を感じさせることもないという格別の利点を有する。
【００２５】
請求項８記載の本発明は、バスタブに所要数の吐出口が設けられ、各吐出口にポンプからの加圧空気が供給されるジェット噴流式気泡風呂であるため、更に入浴効果を高めることができると共に、要介護者の入浴の意欲を高めることができるという利点もある。
【００２６】
請求項９記載の本発明は、バスタブが、要介護者の着座位置を上げるための底上げ具を更に有し、これによって女性等の小柄な要介護者であっても、十分な高さ位置で入浴することができる。
【００２７】
以上述べてきた通り、本発明に係る介護用入浴装置は、種々の利点を有するが、特に在宅介護において、コスト的にも使用においても、容易かつ確実に入浴介護ができ、また介護者の労力および人員の削減を図ることができるため、訪問介護や通所介護の場合に比べて大幅な介護予算の削減を実現することができるという格別の効果を有する。
【図面の簡単な説明】
【００２８】
【図１】本発明の実施形態に係る介護用入浴装置の側面図であって、バスタブを下げて前方へ傾けた状態を示す。
【図２】同実施形態に係る介護用入浴装置の側面図であって、バスタブを上げて水平にした状態を示す。
【図３】同実施形態に係る介護用入浴装置の平面図である。
【図４】同実施形態に係る介護用入浴装置におけるベース部の構造を示す分解斜視図である。
【図５】図１の状態で、要介護者がバスタブ内に横たわった状態を示す側面断面図である。
【図６】図２の状態で、要介護者が入浴している状態を示す側面断面図である。
【図７】図１の状態で、要介護者が底上げ具を使ってバスタブ内に横たわった状態を示す側面断面図である。
【発明を実施するための形態】
【００２９】
次に、本発明の実施形態を図面にしたがって説明するが、本発明はかかる実施形態に限定されるものではない。
【００３０】
図１〜図４に示すように、本実施形態の介護用入浴装置１は、バスタブ２と、バスタブ２を支持するベース部３とを有し、ベース部３が、バスタブ２を上下する昇降手段Ａとバスタブの角度を変更する角度変更手段Ｂとバスタブを水平方向に回動する回動手段Ｃとを備えたものである。
【００３１】
バスタブ２は、要介護者の臀部が載る座部４と、要介護者の背中を支持する背もたれ部５と、要介護者の脚部が載る脚受け部６とを有し、また背もたれ部５の上側には凹弧状のシャンプーボール７が一体に設けられている。また、バスタブ２の下面における幅方向中央部分には全長にわたって補強を兼ねた凸条１０が形成されている。
【００３２】
座部４には滑り止め手段としてウレタンゴム製の滑り止めシート８が貼着されており、また該滑り止めシート８の上面には、略楕円形の膨出部９ａ〜９ｄが二列に形成されている。
【００３３】
ベース部３の昇降手段Ａは本実施形態では油圧ジャッキである。油圧ジャッキＡは、オイル（図示せず）が封入されたシリンダ本体１１と、シリンダ本体１１内を作動するピストン（図示せず）が取り付けられた作動シャフト１２と、作動シャフト１２を上下操作するフットペダル１３と、シリンダ本体１１の下端に取り付けられた基板１４とを有する。
【００３４】
なお、油圧ジャッキＡとしては、既に知られている市販のものを利用することができ、特にその構造は限定されない。
【００３５】
油圧ジャッキＡは、その作動シャフト１２の上端がバスタブ２の下側に結合されており、前記フットペダル１３を操作することで作動シャフト１２が上下してバスタブ２が昇降するようになされている。
【００３６】
そして、図５に示すように、前記作動シャフト１２とバスタブ２との結合は、より詳細には、作動シャフト１２の上端に取り付けられた結合用部材１５を介して行われる。すなわち、結合用部材１５は作動シャフト１２上端に固定された円板状部１５ａと円板状部１５ａの上側に一体に形成された板状部１５ｂと板状部１５ｂの上面に横方向（バスタブの長さ方向と直交する方向）に列設された左右一対のベース側筒状部１５ｃ・１５ｄを有している。一方、バスタブ２の下側には、前記ベース側筒状部１５ｃ・１５ｄ間に入るバスタブ側筒状部１６が一体に設けられ、これら筒状部１５ｃ・１５ｄ・１６の互いに連通する孔Ｈに結合用シャフト４０を嵌入することでバスタブ２と作動シャフト１２が結合されている。
【００３７】
ベース部３の回動手段Ｃは、油圧ジャッキＡの作動シャフト１２が挿通されたリング状部材であって、該リング状部材は油圧ジャッキＡのシリンダ本体１１上端に支持されて前記作動シャフト１２の周囲を回動するようになされている。
【００３８】
角度変更手段Ｂは、ダンパー１７と、ブラケット１８と、バスタブ２の背もたれ部５下側の凸条１０に設けられた縦長の長孔１９と、長孔１９内に挿通されたスライドピン２１とで構成されている。
【００３９】
そして、ダンパー１７におけるシリンダ２２の基端に一体に設けられた係合凹形部２３にリング状部材Ｃの側面に設けられた係合凸部２４Ａを嵌め入れて、互いに連通する透孔２５・２６にピン２７を嵌入することでダンバー１７の基端がリング状部材Ｃに枢支されている。
【００４０】
また、ダンパー１７のシャフト２８上端にも係合凹形部２９が設けられ、ピン５０を介して前記係合凹形部２３と同様の構造によって、前記シャフト２８の上端がバスタブ２下面の凸条１０に枢支されている。  
【００４１】
ブラケット１８の両端には係合用リング部１８ａ・１８ｂが設けられ、上端の係合用リング部１８ａは長孔１９と重ね合わさった状態でスライドピン２１が挿通されて連結状態となっている。また、ブラケット１８の下端の係合用リング部１８ｂはリング状部材Ｃ側面の係合凸部２４Ｂの透孔３０と重ね合わさった状態でピン３５が嵌入されて連結状態となっている。
【００４２】
また、前述したバスタブ２とベース部３との係合・連結がなされている機械部分は、化粧カバー４１によって覆われる。
【００４３】
この他、バスタブ２の下底部並びにシャンプーボール７の底部にはそれぞれドレン４２・４３が設けられている。また、シャンプーボール７とバスタブ２との境界部分には、要介護者の首部分を受けるネッグパッド４４が取り付けられている。
【００４４】
更に、本実施形態に係る介護用入浴装置１は、ジェット噴流式気泡風呂とする場合もある。具体的には、例えばバスタブ２の側壁２ａ下部に空気吸引口付きの吐出口４５を設け、吐出口４５にポンプ（図示せず）からの加圧エアーを供給することで、バスタブ２の下部から上部に向かって気泡噴流を発生させるのである。また、左右側壁２ｂにも前記吐出口４５を設けることで左右からの気泡噴流を発生させる場合もある。なお、前記吐出口４５は、バスタブ２の側壁２ａ下部の他、図１〜図３に点線で示す通り、バスタブ２の側壁２ａ両側に所定間隔をあけて列設しても良い。
【００４５】
次に、図５および図６に示すように、本実施形態に係る介護用入浴装置１の使用要領について説明すると、バスタブ２にお湯が入っていない図５の状態で、介護者（図示せず）がフットペダル１３を操作してバスタブ２を下げると共にバスタブ２の下部を手で押してバスタブ２を前方に傾け、その後、介護者がバスタブ２に要介護者ＨＣを寝かせるのであるが、その際、要介護者ＨＣの臀部はバスタブ２の座部４に載置されると共に、要介護者ＨＣの上半身はバスタブ２の背もたれ部５に支持され、更に要介護者ＨＣの首部はネッグパッド４４に支持され、更に要介護者ＨＣの脚部は脚受け部６に載せられるため、要介護者ＨＣは非常に楽な姿勢で無理なくバスタブ２内に横たわることができる。
【００４６】
その後、図６に示すように、介護者がバスタブ２の下部を持ち上げてバスタブ２を水平状態にすると共に、フットペダル１３を踏んでバスタブ２を入浴介助に適した高さまで上昇させる。そして、バスタブ２内にシャワー等でお湯ＨＷを供給しつつ、要介護者の入浴介助を行なう。また、シャンプーボール７を利用して要介護者ＨＣの洗髪も同時に行うことができる。
【００４７】
また、図７に示すように、要介護者ＨＣが女性等の小柄な人の場合には、座部４にマット状の底上げ具４６をセットする。
【産業上の利用可能性】
【００４８】
本発明に係る介護用入浴装置は、従来のような複雑な構造ではなく、しかも介護者自身の力でバスタブを操作して要介護者を安全かつ容易に入浴してもらうことができ、且つ経済的にも従来に比べて低減した費用で行えるため、介護の分野において幅広い利用が期待できる。
【符号の説明】
【００４９】
１  介護用入浴装置
２  バスタブ
３  ベース部
４  座部
５  背もたれ部
６  脚受け部
７  シャンプーボール
８  滑り止めシート
Ａ  昇降手段
Ｂ  角度変更手段
Ｃ  回転手段
１７  ダンパー
１８  ブラケット
１９  長孔
２１  スライドピン
【図１】
2018042596.tif 000003
【図２】
2018042596.tif 000004
【図３】
2018042596.tif 000005
【図４】
2018042596.tif 000006
【図５】
2018042596.tif 000007
【図６】
2018042596.tif 000008
【図７】
2018042596.tif 000009
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
バスタブと、バスタブを支持するベース部とを有する介護用入浴装置であって、バスタブは、要介護者が横たわる大きさであって、要介護者の臀部が載る座部と、要介護者の背中を支持する背もたれ部と、要介護者の脚部が載る脚受け部とを有しており、ベース部は、バスタブを上下する昇降手段とバスタブの角度を変更する角度変更手段とバスタブを水平方向に回動する回動手段とを備えており、前記昇降手段はベース部に立設された油圧ジャッキであって、その作動シャフトの上端がバスタブの下側に結合されており、前記回動手段は油圧ジャッキの作動シャフトが挿通されたリング状部材であって、該リング状部材が前記油圧ジャッキのシリンダ上端に支持されて前記作動シャフトの周囲を回動するようになされ、且つリング状部材は支持手段を介して前記バスタブを支持することで、該バスタブが前記作動シャフトを中心としてリング状部材と共に水平方向に回動し得るようになされている、介護用入浴装置。
【請求項２】
背もたれ部内面と座部内面が鈍角をなす逆くの字状であり、座部外面と脚受け部外面が鈍角をなすくの字状である、請求項１記載の介護用入浴装置。
【請求項３】
バスタブにおける背もたれ部の上側に、ネッグパッドを介してバスタブとは独立した凹弧状のシャンプーボールを有する請求項１または請求項２記載の介護用入浴装置。
【請求項４】
座部に滑り止め手段が施されている、請求項１〜請求項３のうちのいずれか一項記載の介護用入浴装置。
【請求項５】
角度変更手段が、ダンパーと、ブラケットと、バスタブの背もたれ部下側に設けられた縦長の長孔と、長孔内に挿通されたスライドピンとで構成されており、ダンパーのシリンダ基部がリング状部材に枢支され、ダンパーのシャフト上端がバスタブの下端寄り部分の下側に枢支されており、ブラケットの基部がリング状部材に枢支され、ブラケットの先端部が、前記長孔に挿通されたピンと係合してバスタブをスライド自在に支持しており、前記ダンパーのシャフトが未伸長の状態ではバスタブが傾斜すると共にブラケット先端のスライドピンが長孔内を上昇し、前記ダンパーのシャフトが伸長状態ではバスタブが水平になると共にブラケット先端のスライドピンが長孔内を下降するようになされている、請求項１〜請求項４のうちのいずれか一項記載の介護用入浴装置。
【請求項６】
バスタブに所要数の吐出口が設けられ、各吐出口にポンプからの加圧空気が供給されるジェット噴流式気泡風呂となされている、請求項１〜請求項５のうちのいずれか一項記載の介護用入浴装置。
【請求項７】
バスタブが要介護者の着座位置を上げるためのマット状底上げ具を更に有し、該底上げ具はバスタブの座部に対応する大きさであって、脚受け部に向かって厚みが減少する形態となっている、請求項１〜請求項６のうちのいずれか一項記載の介護用入浴装置。